(57)【要約】【課題】容易に配管の立ち上がり位置を決定出来、施工効率を良好なものとすることが出来る設備機器位置決めシートを提供する。【解決手段】シート１３ａのコーナ１３ｂに印刷された三角マーク部１４が、住宅１０のキッチンスペース１１の入隅部１１ａに適合されることにより、シート１３ａの奥行き方向Ｄの正逆を間違えることなく、正確に敷設される。各鞘管１９等は、立ち上がり部を、各配管ガイド表示１５，１６，１８に合わせて、固定することにより、管中心が、これらの各配管ガイド表示１５，１６，１８に上面視で重複する状態で、延設されて、混合水栓１２ｂ又はガス器具部１２ｄ等の配管被接続部に、真下から一致して、容易に接続できる。【選択図】図１
2008115665.tif 000002
【特許請求の範囲】
【請求項１】
設備機器用の配管の施工時に使用するシートで、一つのコーナ部に、住宅の屋内空間入隅部に適合させる目印部を設けると共に、該シートの上面側には、前記設備機器に接続される配管の立ち上がり部の目安となる配管装着ガイド表示が、記載されていることを特徴とする設備機器位置決めシート。
【請求項２】
前記シートの目印部を、前記住宅の屋内空間入隅部に適合させて、該屋内空間の床部に敷設すると共に、該シートの上面側に記載された配管装着ガイド表示に合わせて、前記設備機器に接続される配管の立ち上がり部を、該床部に、該シートの上から施工して固定し、該シートを残留させた状態で、前記設備機器を載置して、前記配管を該設備機器に接続することを特徴とする請求項1記載の該設備機器位置決めシートを用いた設備機器の施工方法。
【請求項３】
前記屋内空間は、キッチンスペースであると共に、前記設備機器は、該キッチンスペースに装着されるキッチン台であることを特徴とする請求項１記載の設備機器位置決めシートを用いたシステム水廻り設備。
【請求項４】
前記シートは、前記屋内空間の湿度を吸湿及び放出可能な調湿性材料を有して、構成されていることを特徴とする請求項１記載の設備機器位置決めシート。
【発明の詳細な説明】
【技術分野】
【０００１】
本発明は、容易に、設備機器の位置決め施工が出来る設備機器位置決めシート、該設備機器位置決めシートを用いた設備機器の施工方法及び、該設備機器位置決めシートを用いたシステム水廻り設備に関するものである。
【背景技術】
【０００２】
従来、住宅の水廻りに用いられる雑排水配管構造としては、図４に示すようなものが、知られている（例えば、特許文献１等参照）。
【０００３】
このような従来のものでは、図４に示すように、住宅内に設けられたキッチン流し台や洗面台、ユニットバス、洗濯機防水パン等の各種の雑排水源１…からは、住宅内を上下方向に沿って配索されてなる共用排水縦管２へ、雑排水を排出させる為の雑排水配管構造３が、設けられている。
【０００４】
この雑排水配管構造３では、前記共用配水縦管２の直近に、複数の接続口５を有する排水配管ヘッダー６が接続されている。
【０００５】
この排水配管ヘッダー６の各接続口５には、可撓性を有する枝管４…が、各々接続されて、前記各雑排水源１…からの雑排水を、この排水配管ヘッダー６を介して、前記共用排水縦管２に排出するように構成されている。
【０００６】
また、この共用排水縦管２から最も離れた排水配管ヘッダー６の接続口５には、枝管４が延出されて、ドルゴ通気弁７が、接続されている。
【０００７】
次に、この従来例の雑排水配管構造の作用効果について説明する。
【０００８】
このように構成された従来の水廻りに用いられる雑排水配管構造では、複数の雑排水源１…から、一度に、雑排水が合流して、前記排水配管ヘッダー６や、枝管４が閉塞されてしまう場合がある。
【０００９】
このような場合でも、前記共用排水縦管２から最も離れた排水配管ヘッダー６の接続口５に接続されたドルゴ通気弁７等の吸気弁が、空気を最上流側から流入させて、雑排水の停滞を防止することが出来る。
【特許文献１】特開２００６−２１４２４３号公報（段落０００９乃至００２３、図１）
【発明の開示】
【発明が解決しようとする課題】
【００１０】
しかしながら、このような従来の雑排水配管構造では、前記可撓性を有する材質で形成されている枝管４…の立ち上がり位置は、施工者の墨出し作業が、行われることにより決定される。
【００１１】
このため、熟練した施工者の経験等が必要となり、これらの枝管４…の立ち上がり位置を決定することが困難なものとなるといった問題があった。
【００１２】
また、立ち上がり位置の設定が、良好で無い場合には、一回で、墨出し作業工程及び固定作業工程が完了せずに、試行を繰り返すこととなり、水廻り設備の施工工数を増大させてしまう虞もあった。
【００１３】
そこで、この発明は、容易に配管の立ち上がり位置を決定出来、施工効率を良好なものとすることが出来る設備機器位置決めシート、該設備機器位置決めシートを用いた設備機器の施工方法及び、該設備機器位置決めシートを用いたシステム水廻り設備を提供することを課題としている。
【課題を解決するための手段】
【００１４】
上記目的を達成するために、この発明は、設備機器用の配管の施工時に使用するシートで、一つのコーナ部に、住宅の屋内空間入隅部に適合させる目印部を設けると共に、該シートの上面側には、前記設備機器に接続される配管の立ち上がり部の目安となる配管装着ガイド表示が、記載されていることを特徴とする設備機器位置決めシートを特徴としている。
【００１５】
また、請求項２に記載されたものは、前記シートの目印部を、前記住宅の屋内空間入隅部に適合させて、該屋内空間の床部に敷設すると共に、該シートの上面側に記載された配管装着ガイド表示に合わせて、前記設備機器に接続される配管の立ち上がり部を、該床部に、該シートの上から施工して固定し、該シートを残留させた状態で、前記設備機器を載置して、前記配管を該設備機器に接続する請求項1記載の該設備機器位置決めシートを用いた設備機器の施工方法を特徴としている。
【００１６】
更に、請求項３に記載されたものは、前記屋内空間は、キッチンスペースであると共に、前記設備機器は、該キッチンスペースに装着されるキッチン台である請求項１記載の設備機器位置決めシートを用いたシステム水廻り設備を特徴としている。
【００１７】
そして、請求項４に記載されたものは、前記シートは、前記屋内空間の湿度を吸湿及び放出可能な調湿性材料を有して、構成されている請求項１記載の設備機器位置決めシートを特徴としている。
【発明の効果】
【００１８】
このように構成された請求項１記載の発明は、前記住宅の屋内空間内に、設備機器を設置する施工では、まず、前記シートの目印部を、前記住宅の屋内空間入隅部に適合させて、該屋内空間の床部に敷設する。
【００１９】
次に、該シートの上面側に記載された配管装着ガイド表示に合わせて、前記設備機器に接続される配管の立ち上がり部を、該床部に、該シートの上から施工して固定する。
【００２０】
前記配管ガイド表示に合わせられた配管は、立ち上がり部から、鉛直方向に向けて、延設されて、前記設備機器に設けられた配管被接続部に一致する。
【００２１】
このため、該設備機器を床部の上方に載置する際、該設備機器の外周縁を、前記シートの外周縁に合わせて、該シートの上方に前記設備機器を設置すれば、容易に、前記配管を該設備機器に接続することができる。
【００２２】
また、請求項２に記載されたものは、前記シートの目印部を、前記住宅の屋内空間入隅部に適合させて、前記床部に敷設するだけで、該シートの配管装着ガイド表示が、上方に設置される設備機器の配管被接続部に適合するように、前記配管を固定する位置が、指示される。
【００２３】
このため、墨出し作業が不要となると共に、立ち上がり位置の修正も、該シート毎、床部上面に沿わせて移動させれば、完了するので容易に行える。
【００２４】
また、前記配管の立ち上がり部を、床部に固定した後も、このシートを床部に、残留させた状態で、前記設備機器を載置して、固定することが出来る。
【００２５】
このため、該シートの除去作業が不要であるので、更に、施工効率が良好である。
【００２６】
更に、請求項３に記載されたものは、前記屋内空間であるキッチンスペースに、前記設備機器としてのキッチン台を、取付寸法精度を向上させて配置できると共に、キッチン台内部の配管の構成を、所望の纏まりのある配管構成とすることができるので、スペース効率を良好なものとした水廻り設備が提供される。
【００２７】
そして、請求項４に記載されたものは、前記シートが、前記屋内空間の湿度を吸湿及び放出可能な調湿性材料を有して、構成されている。
【００２８】
ここで、湿度を吸湿及び放出可能な調湿性材料としては、高分子吸湿シート若しくは、これらの高分子吸湿シート又は、基材シートに、必要に応じて、シリカゲル、炭材料等の水分を吸湿及び放出可能な材料若しくは、ポリスチレンで構成されるマイクロカプセル壁の内部に、湿度調整剤としての塩化カルシウム等が収納された複数のマイクロカプセルが用いられて、前記シート内に混入されることにより構成されている。
【００２９】
このため、前記設備機器設置後も、残留された前記シートによって、屋内空間内の湿度が、吸湿又は、放出されて、これらのキッチンスペース等内が、快適な湿度に調節される。
【発明を実施するための最良の形態】
【００３０】
次に、図面に基づいて、この発明を実施するための最良の実施の形態の設備機器位置決めシート、該設備機器位置決めシートを用いた設備機器の施工方法及び、該設備機器位置決めシートを用いたシステム水廻り設備について説明する。
【００３１】
図１乃至図３は、この発明の実施の形態の設備機器位置決めシート、該設備機器位置決めシートを用いた設備機器の施工方法及び、該設備機器位置決めシートを用いたシステム水廻り設備を示すものである。なお、前記従来と同一乃至均等な部分については、同一符号を付して説明する。
【００３２】
まず、構成から説明すると、この実施の形態では、図１に示すように、住宅１０のキッチンスペース１１には、一つの入隅部１１ａに、正面視奥側左隅のコーナ部１２ａを、近接させて配置される設備機器としてのキッチン台１２が、配設されている。
【００３３】
このキッチン台１２には、混合水栓１２ｂが設けられたシンク部１２ｃと、三口コンロ１２ｅ…を有するガス器具部１２ｄとが、主に設けられている。
【００３４】
このキッチン台１２と、前記キッチンスペース１１の床スラブ１１ｂとの間には、床スラブ１１ｂの上面に敷設される設備機器位置決めシート１３が、設けられている。
【００３５】
この設備機器位置決めシート１３は、略長方形に形成されたシート１３ａを有している。
【００３６】
このシート１３ａは、図１に示すように、上方に設置されるキッチン台１２の上面視外形寸法と、略同一寸法の外形寸法を有している。
【００３７】
この実施の形態では、図２に示すように、前記シート１３ａの幅方向寸法Ｗが、１４００ｍｍ〜２７００ｍｍ、奥行き方向寸法Ｄが、６００ｍｍ〜８００ｍｍとなるように、施工されるキッチン台１２の上面視外形寸法と、略同一寸法の外形寸法に、予め用いられるシート１３ａの外形寸法が設定されている。
【００３８】
更に、この実施の形態では、前記シート１３ａは、前記キッチンスペース１１内の湿度を吸湿及び放出可能な調湿性材料としての高分子吸湿シート若しくは、これらの高分子吸湿シート又は、基材シートに、必要に応じて、シリカゲル、炭材料等、水分を吸湿及び放出可能な材料若しくは、ポリスチレンで構成されるマイクロカプセル壁の内部に、湿度調整剤としての塩化カルシウムが収納された複数のマイクロカプセルが、混合されたものが、用いられて構成されている。
【００３９】
また、このシート１３ａは、図２に示すように、正面視奥側左隅の一つのコーナ部１３ｂに、この住宅１０の屋内空間入隅部１１ａに適合させる目印部としての三角マーク部１４が設けられている。
【００４０】
更に、このシート１３ａの上面側には、前記キッチン台１２の各設備機器に接続される配管の立ち上がり部の目安となる各配管装着ガイド表示１５〜１８が、記載されている。
【００４１】
この実施の形態のシート１３ａの上面側には、前記シンク部１２ｃの混合水栓１２ｂと接続される赤色の給湯用鞘管１９の立ち上がり部を示す給湯用配管装着ガイド表示１５が、印刷により表示されている。
【００４２】
また、この実施の形態のシート１３ａには、この給湯用配管装着ガイド表示１５の近傍に、「赤（給湯）」の文字表示１５ａが、印刷により表示されていて、配管の種類と、必要に応じて、基準点であるコーナ部１３ｂから、この給湯用配管装着ガイド表示１５までの寸法ｗ１，ｄ１が、ｍｍ単位の数字にて、表示されている。
【００４３】
更に、この実施の形態のシート１３ａには、この給湯用配管装着ガイド表示１５の近傍に、スタンド部材装着ガイド表示１５ｂ，１５ｂが、印刷により表示されている。
【００４４】
また、この実施の形態のシート１３ａの上面側には、前記シンク部１２ｃの混合水栓１２ｂと接続される青色の上水道用鞘管２０の立ち上がり部を示す上水道用配管装着ガイド表示１６が、印刷により表示されている。
【００４５】
この実施の形態のシート１３ａには、この上水道用配管装着ガイド表示１６の近傍に、「青（給水）」の文字表示１６ａが、印刷により表示されていて、配管の種類と、必要に応じて、基準点であるコーナ部１３ｂから、この上水道用配管装着ガイド表示１６までの寸法ｗ２，ｄ２が、ｍｍ単位の数字にて、表示されている。
【００４６】
更に、この実施の形態のシート１３ａには、この上水道用配管装着ガイド表示１６の近傍に、スタンド部材装着ガイド表示１６ｂ，１６ｂが、印刷により表示されている。
【００４７】
そして、この実施の形態のシート１３ａの上面側には、前記シンク部１２ｃの排水孔１２ｆと接続される塩化ビニル製の灰色の排水用配管２１の立ち上がり部を示す排水用配管装着ガイド表示１７が、印刷により表示されている。
【００４８】
また、この実施の形態のシート１３ａには、この排水用配管装着ガイド表示１７の近傍に、「灰（排水）」の文字表示１７ａが、印刷により表示されていて、配管の種類と、必要に応じて、基準点であるコーナ部１３ｂから、この排水用配管装着ガイド表示１７までの寸法ｗ３，ｄ３が、ｍｍ単位の数字にて、表示されている。
【００４９】
更に、この実施の形態のシート１３ａには、この配水用配管装着ガイド表示１７の近傍に、固定具装着ガイド表示１７ｂ，１７ｂが、印刷により表示されている。
【００５０】
そして、この実施の形態のシート１３ａの上面側には、前記ガス器具部１２ｄと接続されて、前記三口コンロ１２ｅに、ガスを供給する黄色のガス用鞘管２２の立ち上がり部を示すガス管用配管装着ガイド表示１８が、印刷により表示されている。
【００５１】
また、この実施の形態のシート１３ａには、ガス管用配管装着ガイド表示１８の近傍に、「黄（ガス）」の文字表示１８ａが、印刷により表示されていて、配管の種類と、必要に応じて、基準点であるコーナ部１３ｂから、このガス管用配管装着ガイド表示１８までの寸法ｗ４，ｄ４が、ｍｍ単位の数字にて、表示されている。
【００５２】
更に、この実施の形態のシート１３ａには、このガス管用配管装着ガイド表示１８の近傍に、スタンド部材装着ガイド表示１８ｂ，１８ｂが、印刷により表示されている。
【００５３】
また、この実施の形態の水廻り設備に用いる給湯用鞘管１９等の鞘管は、図１及び図３に示すような鞘管立ち上げサポート部材２３によって、所望の位置から、略垂直に立ち上げられるようにガイドされる。
【００５４】
この鞘管立ち上げサポート部材２３は、主に、水平配管を所定の曲率で、湾曲させる断面略半円筒曲管形状の樹脂製ガイド部材２４と、この樹脂製ガイド部材２４の上部フランジ２４ａ，２４ａに嵌着されて、この樹脂製ガイド部材２４との間に、前記給湯用鞘管１９等を、挟持する上面視略コ字状のカバー部材２５とを有している。
【００５５】
また、この鞘管立ち上げサポート部材２３は、前記樹脂製ガイド部材２４を、前記シート１３ａを介して、前記床スラブ１１ｂの上面に固定する略Ｌ字状を呈する一対の金属製スタンド部材２６，２６を有していて、複数の固定ビス部材２７…が用いられて、前記各鞘管１９等を、この床スラブ１１ｂの上面の所望の位置に固定可能としている。
【００５６】
これらの金属製スタンド部材２６，２６は、図３に示すように、水平固定フランジ部２６ａ，２６ａの前端縁２６ｂ，２６ｂの中間位置に、前記各給湯用配管装着ガイド表示１５又は、上水道用配管装着ガイド表示１６等が、位置するように、前記床スラブ１１ｂの上面に、前記シート１３ａを介在させて、固定される。
【００５７】
この実施の形態では、図１に示す前記シート１３ａに表示された前記スタンド部材装着ガイド表示１５ｂ，１５ｂ等に、合わせて、これらの金属製スタンド部材２６，２６の水平固定フランジ部２６ａ，２６ａを固定することにより、前記鉛直に立ち上げられた各給湯用鞘管１９及び上水道用鞘管２０の管中心が、前記各給湯用配管装着ガイド表示１５又は、上水道用配管装着ガイド表示１６の真上に、位置されて、前記キッチン台１２の混合水栓１２ｂ等の設備機器に設けられた接続口の位置と一致されるように設定されている。
【００５８】
また、前記排水用配管２１は、図１に示すような金属製サドル部材３０，３０によって、この床スラブ１１ｂの上面の所望の位置に固定されて、略垂直に立ち上げられる。
【００５９】
この金属製サドル部材３０は、主に、図２に示す前記シート１３ａに表示された前記固定具装着ガイド表示１７ｂ，１７ｂに合わせて、このシート１３ａを介在させて、前記床スラブ１１ｂ上面に、前記固定ビス部材２７，２７等を用いて固定される、図１に示すような固定板部材３１と、この固定板部材３１から左，右一対、鉛直に立設される長尺ボルト部材３４，３４とを有している。
【００６０】
また、金属製サドル部材３０は、これらの長尺ボルト部材３４，３４を挿通して、前記床スラブ１１ｂの上面から一定の間隔を置いて、水平に配管される前記排水用配管２１を、上，下方向から、各々挟持する上下一対のサドル本体３３，３３を有している。
【００６１】
このサドル本体３３は、前記排水用配管２１を保持する半円状の保持部から左，右一対、一体に延設されて、前記長尺ボルト部材３４，３４を挿通する挿通孔が形成された固定フランジ部を有している。
【００６２】
そして、これらの各上，下サドル本体３３，３３の各固定フランジ部を各々拝合した状態で、前記長尺ボルト部材３４，３４に螺合されたナット部材３５，３５を締結することにより、所望の位置で、前記排水用配管２１を、前記床スラブ１１ｃの上面側に固定可能となるように構成されている。
【００６３】
次に、この実施の形態の設備機器位置決めシート、該設備機器位置決めシートを用いた設備機器の施工方法及び、該設備機器位置決めシートを用いたシステム水廻り設備の作用効果について説明する。
【００６４】
まず、この実施の形態の設備機器位置決めシートを用いた設備機器の施工方法として、前記住宅１０のキッチンスペース１１内で、図１に示すような入隅部１１ａに適合させて、設備機器としてのキッチン台１２が設置される構成を有する水廻り設備の施工順序に沿って、説明を行う。
【００６５】
この実施の形態の水廻り設備の施工では、まず、図１に示すように、前記シート１３ａのコーナ１３ｂに印刷された三角マーク部１４を、前記住宅１０の屋内空間入隅部１１ａに適合させて、このキッチンスペース１１の床スラブ１１ｂの上面に敷設する。
【００６６】
このように、前記シート１３ａのコーナ１３ｂに印刷された三角マーク部１４が、前記住宅１０のキッチンスペース１１の入隅部１１ａに適合されることにより、シート１３ａの奥行き方向Ｄの正逆を間違えることなく、正確に敷設される。
【００６７】
次に、図２に示すような、このシート１３ａの上面側に記載された文字１５ａ〜１８ａを参照して、固定される配管の種類及び長さが決定される。
【００６８】
そして、このシート１３ａの上面側に記載された前記給湯用配管装着ガイド表示１５，上水道用配管装着ガイド表示１６，及びガス管用配管装着ガイド表示１８に合わせて、前記キッチン台１２の混合水栓１２ｂ又はガス器具部１２ｄの被接続口に接続される前記各鞘管１９，２０，２１の立ち上がり部が、この床スラブ１１ｂに、このシート１３ａの上から、前記さや管立ち上げサポート部材２３…が用いられて、施工されて固定される。
【００６９】
この際、前記各配管ガイド表示１５，１６，１８に合わせられた各鞘管１９，２０，２１は、立ち上がり部から、鉛直方向に向けて、管中心が、これらの各配管ガイド表示１５，１６，１８に上面視で重複する状態で、延設されて、前記混合水栓１２ｂ又はガス器具部１２ｄの配管被接続部に一致する。
【００７０】
しかも、この実施の形態では、前記シート１３ａの上面に印刷された前記金具固定位置ガイド表示１５ｂ〜１８ｂによって、前記各さや管立ち上げサポート部材２３…及び金属製サドル部材３０の固定位置が指示される。
【００７１】
このため、更に、容易に、各鞘管１９，２０，２２及び排水配管２１の立ち上がり部の位置決めが行える。
【００７２】
また、このキッチン台１２を床スラブ１１ｂの上方に載置する際、このキッチン台１２の外周縁を、前記シート１３ａの外周縁に合わせた状態で、このシート１３ａの上方に前記キッチン台１２を設置すれば、容易に、前記各鞘管１９，２０，２１を前記混合水栓１２ｂ又はガス器具部１２ｄの配管被接続部に、真下から接続することができる。
【００７３】
この際、前記排水用配管２１も同様に、前記シート１３ａの上から、前記配管ガイド表示１７が、立ち上げ部の管中心と一致するように、前記金属製サドル部材３０，３０を用いて固定することにより、前記シンク部１２ｃの排水孔１２ｆの配管被接続部に真下から接続することができる。
【００７４】
また、この実施の形態では、前記シート１３ａの目印部１４を、前記住宅１０のキッチンスペース１１の入隅部１１ａに適合させて、前記床スラブ１１ｂの上面に敷設するだけで、シート１３ａの配管装着ガイド表示１５〜１８が、上方に設置される設備機器の配管被接続部に適合するように、前記各鞘管１９，２０，２２及び排水用配管２１を固定する位置が、指示される。
【００７５】
このため、墨出し作業が不要となると共に、立ち上がり位置の修正も、このシート１３ａ毎、床スラブ１１ｂの上面に沿わせて移動させれば、完了するので容易に行える。
【００７６】
また、前記各鞘管１９，２０，２２及び排水用配管２１の立ち上がり部を、床スラブ１１ｂ上面に固定した後は、このシート１３ａを床スラブ１１ｂ上面に、残留させた状態で、前記キッチン台１２を載置する際、介在された前記シート１３ａが、シート状で、厚み方向の寸法が大きく設定されてないので、高さ方向のキッチン台１２の装着位置が、このシート１３ａを介在させない場合と相違すること無く、固定される。
【００７７】
このため、このシート１３ａの除去作業が不要であるので、更に、施工効率が良好であり、容易に各種配管１５〜１８の立ち上がり位置を決定出来、施工効率を良好なものとすることが出来る。
【００７８】
更に、前記屋内空間であるキッチンスペース１１に、前記設備機器としてのキッチン台１２を、取付寸法精度を向上させて配置できると共に、キッチン台１２内部の各鞘管１９，２０，２２及び排水用配管２１の配列構成を、所望の纏まりのある配管構成とすることができるので、余剰配管を減少させて、スペース効率を良好なものとした水廻り設備が提供される。
【００７９】
そして、この実施の形態では、前記シート１３ａが、前記キッチンスペース１１の湿度を吸湿及び放出可能なマイクロカプセル等を有して、構成されている。
【００８０】
このため、前記キッチン台１２設置後も、残留された前記シート１３ａによって、キッチンスペース１１内の湿度が、吸湿又は、放出されて、これらのキッチンスペース１１内が、快適な湿度に調節される。
【００８１】
以上、図面を参照して、本発明の実施の形態を詳述してきたが、具体的な構成は、この実施の形態に限らず、本発明の要旨を逸脱しない程度の設計的変更は、本発明に含まれる。
【００８２】
即ち、前記実施の形態では、前記ポリスチレンで構成されるマイクロカプセル壁の内部に、湿度調整剤としての塩化カルシウム等が収納された複数のマイクロカプセルが用いられて、前記シート１３ａ内に混入されることにより、調湿性材料が構成されているが、特にこれに限らず、湿度を吸湿及び放出可能な調湿性材料として、高分子吸湿シート若しくは、これらの高分子吸湿シート又は、基材シートに、必要に応じて、シリカゲル、炭材料等の水分を吸湿及び放出可能な材料であれば、どのようなものであってもよい。
【００８３】
また、シート１３ａの形状も、略長方形に形成されたものに限らず、例えば、正方形、
コーナー部を丸く形成した方形形状や、台形等、どのような形状であっても、一つのコーナ部に、住宅の屋内空間入隅部に適合させる目印部を設けているものであればよい。
【００８４】
更に、このシート１３ａの大きさは、上方に設置されるキッチン台１２の上面視外形寸法と、略同一寸法の外形寸法を有しているものに限らず、キッチン台１２の装着位置を特定できるものであれば、キッチン台１２の上面視外形寸法よりも大きくてもよい。
【図面の簡単な説明】
【００８５】
【図１】この発明の最良の実施の形態の設備機器位置決めシート、該設備機器位置決めシートを用いた設備機器の施工方法及び、該設備機器位置決めシートを用いたシステム水廻り設備で、一部透過斜視図である。
【図２】実施の形態の設備機器位置決めシートの上面図である。
【図３】実施の形態の設備機器位置決めシート、該設備機器位置決めシートを用いた設備機器の施工方法及び、該設備機器位置決めシートを用いたシステム水廻り設備で、要部の拡大斜視図である。
【図４】従来例の住宅の水廻りに用いられる雑排水配管構造を説明する要部の斜視図である。
【符号の説明】
【００８６】
１０        住宅
１１        キッチンスペース（居室空間）
１２        キッチン台
１２ａ      コーナ部
１２ｂ      混合水栓（設備機器）
１２ｃ      シンク部
１２ｄ      ガス器具部
１２ｆ      排水孔
１３        設備機器位置決めシート
１３ａ      シート
１３ｂ      コーナ部
１４        三角マーク部（目印部）
１５        給湯用配管装着ガイド表示
１６        上水道用配管装着ガイド表示
１７        排水用配管装着ガイド表示
１８        ガス管用配管装着ガイド表示
１９        給湯用鞘管
２０        上水道用鞘管
２１        排水用配管
２２        ガス用鞘管
２３        さや管立ち上げサポート部材
３０        金属製サドル部材
【図１】
2008115665.tif 000003
【図２】
2008115665.tif 000004
【図３】
2008115665.tif 000005
【図４】
2008115665.tif 000006